(57)【要約】【課題】被抽出物の取り出しと抽出を繰り返し行うことができ、取り扱いが容易で、深底の包装袋や缶内から適量の茶葉等を容易に取り出すことのできる被抽出物の抽出具を提供する。【解決手段】使用者は仮想線で示すように被抽出物の抽出具１を移動させる。掬い部９内に捕獲された茶葉Ａは包装袋２１等の内壁面を摺りながら掬い部９と共に上方に移動する。当該茶葉Ａが包装袋２１等の開放された上縁に達すると今まで中間に介在していた包装袋２１等が存在しなくなるため、掬い部９と透水部１１とが合わさり、掬い部９と透水部１１とによって閉塞された空間に茶葉Ａが収容される。そして、予め湯Ｙを注いでおいた湯呑み３１等に密着状態の掬い部９と透水部１１を入れ、所定の時間茶葉Ａを蒸らして抽出を行う。【選択図】        図２
2007301186.tif 000002
【特許請求の範囲】
【請求項１】
回動支点を中心に所定の角度回動する一対の柄と、一方の柄の先端に取り付けられる掬い部と、他方の柄の先端に取り付けられる透水部とを備え、前記掬い部と透水部は、掬い部と透水部とが合わさる閉鎖状態と掬い部と透水部とが離間する開放状態とに開閉可能に設けられており、前記掬い部と透水部とを開放状態として掬い部によって被抽出物を掬い、前記掬い部と透水部とを閉鎖状態として、掬い部と透水部とによって閉鎖される空間に被抽出物を収容して、被抽出物を抽出するようにしたことを特徴とする被抽出物の抽出具。
【請求項２】
請求項１に記載した被抽出物の抽出具において、掬い部と透水部が閉鎖状態となるように付勢するバネ部材が設けられていることを特徴とする被抽出物の抽出具。
【請求項３】
請求項１または２に記載した被抽出物の抽出具において、前記透水部の開口部の周縁には着脱可能なパッキンが設けられていることを特徴とする被抽出物の抽出具。
【請求項４】
請求項１から３のいずれかに記載した被抽出物の抽出具において、掬い部は計量器となっていることを特徴とする被抽出物の抽出具。
【発明の詳細な説明】
【技術分野】
【０００１】
本発明は包装袋や缶内に収容された茶葉等の被抽出物を適量ずつ取り出し、湯中に浸して抽出させる被抽出物の抽出具に関するものである。
【背景技術】
【０００２】
一般家庭で例えば茶を抽出する場合は、包装袋や缶内に収容された茶葉を目分量で取り出して急須に入れ、湯を注いで所定の時間蒸らしてから湯呑みに移す。
また抽出後の茶葉を急須から取り出して廃棄する手間や、急須の洗浄等が必要ないティーバッグ等もある。
【０００３】
しかしながら、急須で茶を入れる行為は案外面倒であり、特に急須を用いて一杯だけ茶を入れるのはどうしても億劫になってしまう。
また、ティーバッグは便利な反面、使い捨て式であるため、使用後は抽出後の茶葉といっしょにゴミとして廃棄されることになる。従ってゴミの増大等の問題も否定できない。
【発明の開示】
【発明が解決しようとする課題】
【０００４】
本発明は上記背景技術が抱える問題点の存在を踏まえてなされたものであって、被抽出物の取り出しと抽出をごく簡単に行うことができ、深底の包装袋や缶内から適量の被抽出物を取り出すことのできる被抽出物の抽出具を提供することを解決しようとする課題とする。
【課題を解決するための手段】
【０００５】
上記課題を解決するために、請求項１に記載した発明は、回動支点を中心に所定の角度回動する一対の柄と、一方の柄の先端に取り付けられる掬い部と、他方の柄の先端に取り付けられる透水部とを備え、前記掬い部と透水部は、掬い部と透水部とが合わさる閉鎖状態と掬い部と透水部とが離間する開放状態とに開閉可能に設けられており、前記掬い部と透水部とを開放状態として掬い部によって被抽出物を掬い、前記掬い部と透水部とを閉鎖状態として、掬い部と透水部とによって閉鎖される空間に被抽出物を収容して、被抽出物を抽出するようにしたことを特徴とする被抽出物の抽出具である。
【０００６】
請求項２に記載した発明は、請求項１に記載した被抽出物の抽出具において、掬い部と透水部が閉鎖状態となるように付勢するバネ部材が設けられていることを特徴とする被抽出物の抽出具である。
【０００７】
請求項３に記載した発明は、請求項１または２に記載した被抽出物の抽出具において、前記透水部の開口部の周縁には着脱可能なパッキンが設けられていることを特徴とする被抽出物の抽出具である。
【０００８】
請求項４に記載した発明は、請求項１から３のいずれかに記載した被抽出物の抽出具において、掬い部は計量器となっていることを特徴とする被抽出物の抽出具である。
【発明の効果】
【０００９】
本発明の被抽出物の抽出具によれば、被抽出物の取り出しと抽出の両方に使用でき、繰り返して使用することができる。また、一対の柄の操作部を片手で握って操作するだけで被抽出物の取り出し、抽出及び廃棄の一連の作業を実行することができ、取り扱いが容易である。
また、バネ部材を設けた場合には、掬い部と透水部が閉鎖状態となるように付勢されるので、被抽出物の抽出具から手を離し、湯の入った湯飲み等に立てたままの状態にして被抽出物の抽出を行うことができる。
【発明を実施するための最良の形態】
【００１０】
以下、本発明の被抽出物の抽出具を実施するための最良の形態として図示の実施の形態を例に採って具体的に説明する。
尚、本発明の適用対象である被抽出物としては、煎茶等の緑茶、ほうじ茶、紅茶、ウーロン茶等の茶葉の他、麦茶やだしを取るための削り節等、茶葉以外のものも含まれる。
本発明の被抽出物の抽出具１は回動支点３を中心に所定の角度回動する開閉式の一対の柄５、７と、このうち一方の柄５の先端に取り付けられる掬い部９と、他方の柄７の先端に取り付けられる透水部１１とを備えている。
【００１１】
一対の柄５、７は一例として矩形断面の長寸のステンレス鋼によって形成されており、回動支点３を中心にして開閉自在に組み付けられている。
また回動支点３を挟んで掬い部９ないし透水部１１が設けられる側を被抽出物としての茶葉Ａの取り出しと抽出を行う作用部１３、これと反対側を使用者が手で握って操作する操作部１５と定義し、以下説明する。
【００１２】
回動支点３の近傍の操作部１５側には対向するように柄５と柄７のそれぞれに係止突起１７が設けられている。これらの係止突起１７にはバネ部材の一例である圧縮コイルバネ１９の端部が嵌められ、係止されており、この圧縮コイルバネ１９によって、一対の柄５、７は掬い部９ないし透水部１１とが合わさる閉鎖状態となる方向へ付勢されている。
掬い部９及び透水部１１を含んだ被抽出物の抽出具１全体の長さＬは一例として１０〜５０ｃｍであり、茶葉Ａが収容された包装袋２１や缶等の深さＨ等に応じて適宜の長さＬに調整される。
【００１３】
また、一対の柄５、７における回動支点３から掬い部９ないし透水部１１に至る作用部１３の長さＳは上記包装袋２１等の深さＨ等よりも長くなるように設定されている。
作用部１３の長さＳをこのように設定することによって包装袋２１等を傾けなくても包装袋２１等の底に残った茶葉Ａを確実に取り出すことが可能になる。
【００１４】
掬い部９と透水部１１は外形形状がほぼ同じで、一例として開口部の形状が楕円形状ないし長円形状をしている。またそれぞれの掬い面２３、２５は対向するように設けられている。掬い部９と透水部１１の幅寸法Ｗは２〜６ｃｍ、長さＭは３〜７ｃｍ、深さＮは０．５〜３ｃｍに一例として設定されている。このように掬い部９の大きさを設定することで、掬い部９は計量器となる。
掬い部９と透水部１１の上記外形寸法Ｗ、Ｍ、Ｎは一回の操作で取り出したい茶葉Ａの分量に応じて、例えば一般用と業務用とで使い分ける等して適宜調整される。
【００１５】
掬い部９は柄５と一体に形成されており、柄５と同一材料であるステンレス鋼材等によって形成されている。透水部１１はメッシュサイズが一例として１０〜１００メッシュの一重または二重の網体によって形成されている。
透水部１１の開口部の周縁２７には着脱可能な合成ゴム製のパッキン２９が取り付けられるようになっている。パッキン２９は掬い部９と透水部１１のそれぞれの開口部間にできる隙間を埋め、収容した茶葉Ａの外部への流出を防止するために設けられている部材である。
このように被抽出物の抽出具１には、掬い部９と透水部１１とが合わさる閉鎖状態と掬い部９と透水部１１とが離間する開放状態とに開閉可能に設けられている。
【００１６】
そして、被抽出物の抽出具１を使用する場合には図２に示すように、操作部１５を握り、圧縮コイルバネ１９の付勢力に抗して掬い部９と透水部１１とが離間する開放状態として、掬い部９を茶葉Ａが収容された包装袋２１の中に入れる。
包装袋２１等の中では掬い部９によって適量の茶葉Ａが掬い取られて、透水部１１との挟圧作用によって圧縮された状態で掬い部９と包装袋２１等によって仕切られた空間に上記茶葉Ａは収容される。
【００１７】
使用者は図２中仮想線で示すように被抽出物の抽出具１を移動させる。掬い部９内に捕獲された茶葉Ａは包装袋２１等の内壁面を摺りながら掬い部９と共に上方に移動する。
当該茶葉Ａが包装袋２１等の開放された上縁に達すると今まで中間に介在していた包装袋２１等が存在しなくなるため、圧縮コイルバネ１９の付勢力によって掬い部９と透水部１１とが合わさり、掬い部９の縁と透水部１１のパッキン２９とが密着して閉鎖状態となり、掬い部９と透水部１１とによって閉塞された空間に茶葉Ａが収容されることになる。
【００１８】
そして、予め湯Ｙを注いでおいた湯呑み３１等に対して図６に示すように密着状態の掬い部９と透水部１１を入れ、所定の時間茶葉Ａを蒸らして抽出を行う。
圧縮コイルバネ１９によって掬い部９と透水部１１とが閉鎖状態とされているので、被抽出物の抽出具１から手を離し、湯の入った湯飲み３１に立てたままの状態にして茶葉Ａの抽出を行うことができる。
また使用済みの茶葉Ａを廃棄する場合には片手で操作部１５を持って、茶葉Ａを捨てる容器やゴミ箱まで移動し、操作部１５を握り、圧縮コイルバネ１９の付勢力に抗して掬い部９と透水部１１を離間させて、透水部１１を開放状態にすれば使用済みの茶葉Ａを簡単に廃棄することができる。
【００１９】
使用後は次の使用に備えて掬い部９と透水部１１を洗浄し、乾いた布等によって掬い部９の表面についた水分等を拭き取っておく。
パッキン２９を掬い部９ではなく透水部１１に設けたのは、掬い部９にパッキン２９を設けると水分を拭き取り難くなってしまうので、これを防止するためである。
消耗部品であるパッキン２９が劣化した場合やパッキン２９を取り外して洗浄したい場合には簡単にパッキン２９を取り外すことができるため、簡単な操作でパッキン２９を取り外し、新しいパッキン２９に取り替えたり、洗浄してきれいになったパッキン２９と簡単に付け替えることができる。
【００２０】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、バネ部材は圧縮コイルバネ１９に限らず、トーションバネや板バネ等であっても構わない。また使用に耐えられるだけの剛性と耐腐食性を備えるものであればプラスチック材料等によって被抽出物の抽出具１全体を形成することも可能である。
【産業上の利用可能性】
【００２１】
本発明は一般家庭等において気軽に茶等を飲みたい場合や、被抽出物の販売店等において試飲用として一杯ずつ茶等を入れたい場合に利用でき、具体的には包装袋や缶内に収容された被抽出物を適量ずつ取り出し、湯中に浸して抽出させる被抽出物の抽出具の製造、使用分野等において利用可能性を有する。
【図面の簡単な説明】
【００２２】
【図１】本発明の実施の形態に係る被抽出物の抽出具を示す斜視図である。
【図２】本発明の実施の形態に係る被抽出物の抽出具の取り出し時の状態を示す側断面図である。
【図３】本発明の実施の形態に係る被抽出物の抽出具の閉鎖状態と開放状態を示す図である。
【図４】本発明の実施の形態に係る被抽出物の抽出具における掬い部を拡大して示す平面図と側面図である。
【図５】本発明の実施の形態に係る被抽出物の抽出具における透水部を拡大して示す平面図とパッキンを取り外した状態の側面図である。
【図６】本発明の実施の形態に係る被抽出物の抽出具の抽出状態を示す図である。
【符号の説明】
【００２３】
１  被抽出物の抽出具                ３  回動支点
５  柄                              ７  柄
９  掬い部                        １１  透水部
１３  作用部                        １５  操作部
１７  係止突起                      １９  圧縮コイルバネ
２１  包装袋                        ２３  掬い面
２５  掬い面                        ２７  周縁
２９  パッキン                      ３１  湯呑み
Ａ  被抽出物としての緑茶            Ｌ  全体の長さ
Ｈ  深さ                            Ｓ  作用部の長さ
Ｗ  幅寸法                          Ｍ  長さ
Ｎ  深さ                            Ｙ  湯
【図１】
2007301186.tif 000003
【図２】
2007301186.tif 000004
【図３】
2007301186.tif 000005
【図４】
2007301186.tif 000006
【図５】
2007301186.tif 000007
【図６】
2007301186.tif 000008